(57)【要約】      （修正有）【課題】外部の空気を浄化させ、外観が美麗であり、効率良く陰イオン発生及び酸素供給ができるメガネを提供する。【解決手段】内部に空気流路が形成され、鼻と口に向かう側に複数の空気排出口が形成される一対のメガネフレームと、メガネフレームの空気流路と連通する流路が内部に形成され、鼻に向かう側に複数の空気排出口が形成される連結部と、メガネフレームの空気流路と連通する流路が内部に形成され、後方側に空気吸入口が形成される一対のつる部と、つる部の空気流路上に装着されるＨＥＰＡフィルターと、つる部の空気流路上に装着され、吸入空気をつる部の空気流路の前方側に移送させる送風ファン、駆動モーター、バッテリーと、つる部の下側に装着され、駆動モーターの動作を制御するスイッチ、充電コネクターと、つる部に装着されるスピーカーと、メガネフレームと連結部とつる部のいずれか一つ以上の空気流路部に備えられる陰イオン発生部とを含む。【選択図】図１
0003222140.tif 000002
【実用新案登録請求の範囲】
【請求項１】
メガネレンズが装着され、内部に空気流路が形成され、使用者の鼻と口に向かう側に複数の空気排出口（１１０）が形成される一対のネガネフレーム（１００）と、
前記一対のネガネフレーム（１００）を連結し、前記ネガネフレーム（１００）の空気流路と連通する空気流路が内部に形成され、使用者の鼻に向かう側に複数の空気排出口（１１０）が形成される連結部（２００）と、
前記一対のネガネフレーム（１００）から後方にそれぞれ延び、前記ネガネフレーム（１００）の空気流路と連通する空気流路が内部に形成され、後方側に空気吸入口（３１０）が形成される一対のつる部（３００）と、
前記つる部（３００）の空気流路上に装着されるＨＥＰＡフィルター（４００）と、
前記つる部（３００）の空気流路上に装着され、前記空気吸入口（３１０）を通して吸入された空気を前記つる部（３００）の空気流路の前方側に移送させる送風ファン（５００）と、
前記つる部（３００）の空気流路上に装着されて前記送風ファン（５００）を回転させる駆動モーター（５１０）と、
前記つる部（３００）の空気流路上に装着され、前記駆動モーター（５１０）に電力を供給するバッテリー（６００）と、
前記つる部（３００）の下側に装着され、前記駆動モーター（５１０）の動作を制御するスイッチ（６１０）と、
前記つる部（３００）の下側に装着され、前記バッテリー（６００）に充電電流を供給する充電コネクター（６２０）と、
前記つる部（３００）に装着され、前記バッテリー（６００）から電力を受けて音響を出力するスピーカー（７００）と、
前記ネガネフレーム（１００）の空気流路と前記連結部（２００）の空気流路と前記つる部（３００）の空気流路のいずれか一つ以上の空気流路部に備えられる陰イオン発生部（８００）と、
前記つる部（３００）の外側面において前記空気吸入口（３１０）が形成された側の反対側を弾性的に掴む一つ以上の把持部（９１２）を備えて前記つる部（３００）の前記空気吸入口（３１０）が形成された部位を覆うように装着され、前記空気吸入口（３１０）と連通する酸素供給流路（９１４）が内部に形成され、酸素缶（９００）から提供された酸素を前記つる部（３００）の空気流路に伝達するコネクター（９１０）とを含むことを特徴とする、空気浄化機能を有するメガネ。
【請求項２】
前記つる部（３００）において前記バッテリー（６００）が装着された部位が分離可能な構造に構成され、前記バッテリー（６００）の入替えが可能であることを特徴とする、請求項１に記載の空気浄化機能を有するメガネ。
【請求項３】
前記スピーカー（７００）は、携帯用電子機器と有線で連結される有線スピーカー（７００）、又は携帯用電子機器とブルートゥース(登録商標)方式で連結される無線スピーカー（７００）であることを特徴とする、請求項１に記載の空気浄化機能を有するメガネ。
【考案の詳細な説明】
【技術分野】
【０００１】
本考案は空気浄化機能を有するメガネに係り、より詳しくは外部から供給される空気を浄化させた後、鼻と口の周辺に集中的に供給することによって使用者にきれいな空気を提供するように構成されるメガネに関する。
【背景技術】
【０００２】
近年、産業の発達につれて産業現場で多量の汚染物質を排出し、また生活水準の向上につれて自動車台数が急激に増加して自動車の煤煙も深刻な程度に増加して、我々が呼吸する空気が深刻に汚染された状況に至った。よって、一般人が日常生活で微細ほこりと呼ばれる汚染物質が含有された空気を吸わなければならない具合になった。
【０００３】
微細ほこりは人体の健康にとても悪い影響を及ぼすから、可能な限り吸わないことが好ましいが、日常生活をしないことはできないことなので、可能な限り微細ほこりを吸わないように各自が努力しなければならない。
【０００４】
一般に、微細ほこりを吸わないためにマスクを着用するが、マスクは顔の大部分を遮るから、美観上良くなく、呼吸が困り、息を吐き出すときに全ての呼気がマスクを通過して抜けることができず、一部は上部の顔との隙間を通して抜け出、よってメガネを着用したときにメガネのガラスが潤んで前方を見るのに差し支えをもたらす。また、マスクは頻繁に洗濯しなければならないか、使い捨てであるため費用が高くかかる問題点がある。
【０００５】
このような問題点を解決するために、鼻に直接浄化筒を入れるマスクが韓国登録実用新案登録第２０−０２３４９５５号公報に開示されているが、これは吸気だけではなく呼気までも浄化筒を通過しなければならないため、呼吸が困ることになり、浄化効果のために長さが長いしかなく、重くて鼻にあまりにも大きな負担を与えるため、着用することが苦しいという問題がある。また、浄化された空気を強制的に供給し、浄化された空気を顔面マスクを通して吸うようにする電動式空気浄化呼吸器保護具が韓国登録特許第１０−１５７４０２１号公報に開示されているが、これは空気浄化装置が重くて携帯しにくく、顔面マスクによって顔が全く遮られるため、産業現場では使われるかも知れないが日常生活で一般人が使うことができない問題があった。
【０００６】
使用者の顔を遮らないながらも使用者に浄化された空気を供給することができる浄化空気供給手段を備えたメガネ（韓国登録特許第１０−１８１９１４４号公報）が提案されたことがあるが、従来の浄化空気供給手段を備えたメガネは、空気を浄化させるための各種の構成要素が外部に露出されるため、外観が良くなく、浄化された空気を提供するブロックが使用者の鼻内に挿入されるため、着心地が非常に悪いという欠点がある。
【先行技術文献】
【特許文献】
【０００７】
【特許文献１】韓国登録実用新案登録第２０−０２３４９５５号公報
【特許文献２】韓国登録特許第１０−１５７４０２１号公報
【特許文献３】韓国登録特許第１０−１８１９１４４号公報
【考案の概要】
【考案が解決しようとする課題】
【０００８】
本考案は前記のような問題点を解決するために提案されたもので、外部の空気を浄化させて使用者に提供し、空気浄化のための構成要素が外部に露出されなくて外観が美麗であり、浄化された空気を使用者の鼻と口の周辺に集中的に供給するので効率に優れ、陰イオン発生及び酸素供給ができるように構成されるメガネを提供することに目的がある。
【課題を解決するための手段】
【０００９】
前記のような目的を達成するための本考案による空気浄化機能を有するメガネは、メガネレンズが装着され、内部に空気流路が形成され、使用者の鼻と口に向かう側に複数の空気排出口が形成される一対のネガネフレームと、前記一対のネガネフレームを連結し、前記ネガネフレームの空気流路と連通する空気流路が内部に形成され、使用者の鼻に向かう側に複数の空気排出口が形成される連結部と、前記一対のネガネフレームから後方にそれぞれ延び、前記ネガネフレームの空気流路と連通する空気流路が内部に形成され、後方側に空気吸入口が形成される一対のつる部と、前記つる部の空気流路上に装着されるＨＥＰＡフィルターと、前記つる部の空気流路上に装着され、前記空気吸入口を通して吸入された空気を前記つる部の空気流路の前方側に移送させる送風ファンと、前記つる部の空気流路上に装着されて前記送風ファンを回転させる駆動モーターと、前記つる部の空気流路上に装着され、前記駆動モーターに電力を供給するバッテリーと、前記つる部の下側に装着され、前記駆動モーターの動作を制御するスイッチと、前記つる部の下側に装着され、前記バッテリーに充電電流を供給する充電コネクターと、前記つる部に装着され、前記バッテリーから電力を受けて音響を出力するスピーカーと、前記ネガネフレームの空気流路と前記連結部の空気流路と前記つる部の空気流路のいずれか一つ以上の空気流路部に備えられる陰イオン発生部とを含んでなる。
【００１０】
前記つる部において前記バッテリーが装着された部位が分離可能な構造に構成され、前記バッテリーの入替えが可能であってもよい。
【００１１】
前記スピーカーは、携帯用電子機器と有線で連結される有線スピーカー、又は携帯用電子機器とブルートゥース（登録商標）方式で連結される無線スピーカーであってもよい。
【００１２】
前記つる部の外側面において前記空気吸入口が形成された側の反対側を弾性的に掴む一つ以上の把持部を備えて前記つる部の前記空気吸入口が形成された部位を覆うように装着され、前記空気吸入口と連通する酸素供給流路が内部に形成され、酸素缶から提供された酸素を前記つる部の空気流路に伝達するコネクターをさらに含むことができる。
【考案の効果】
【００１３】
本考案による空気浄化機能を有するメガネを用いれば、外部の空気を浄化させて使用者に提供することができ、空気浄化のための構成要素が外部に露出されなくて外観が美麗であり、浄化された空気を使用者の鼻と口の周辺に集中的に供給するので効率に優れ、陰イオン発生及び酸素供給ができるという利点がある。
【図面の簡単な説明】
【００１４】
【図１】本考案による空気浄化機能を有するメガネの斜視図である。
【図２】本考案による空気浄化機能を有するメガネに含まれるつる部の縦断面図である。
【図３】本考案による空気浄化機能を有するメガネに含まれるつる部の分解斜視図である。
【図４】本考案による空気浄化機能を有するメガネの第２実施例の斜視図である。
【図５】本考案による空気浄化機能を有するメガネの第３実施例の斜視図である。
【図６】本考案による空気浄化機能を有するメガネの第４実施例の斜視図である。
【図７】本考案による空気浄化機能を有するメガネの第４実施例に含まれるコネクターの結合構造を示す横断面図である。
【考案を実施するための形態】
【００１５】
以下、添付図面に基づいて本考案による空気浄化機能を有するメガネの実施例を詳細に説明する。
【００１６】
図１は本考案による空気浄化機能を有するメガネの斜視図、図２は本考案による空気浄化機能を有するメガネに含まれるつる部３００の縦断面図、図３は本考案による空気浄化機能を有するメガネに含まれるつる部３００の分解斜視図である。
【００１７】
本考案による空気浄化機能を有するメガネは使用者にきれいに浄化された空気を供給するための装置であり、使用者の口や鼻を塞がないだけでなく、空気を浄化させる部品が外部に露出されないので、外観が美麗であり、保管及び使用が非常に便利であるという点に特徴がある。
【００１８】
すなわち、本考案による空気浄化機能を有するメガネは、前記のような機能を果たすことができるように、メガネレンズが装着され、内部に空気流路が形成され、使用者の鼻と口に向かう側に複数の空気排出口１１０が形成される一対のネガネフレーム１００と、前記一対のネガネフレーム１００を連結し、前記ネガネフレーム１００の空気流路と連通する空気流路が内部に形成され、使用者の鼻に向かう側に複数の空気排出口１１０が形成される連結部２００と、前記一対のネガネフレーム１００から後方にそれぞれ延び、前記ネガネフレーム１００の空気流路と連通する空気流路が内部に形成され、後方側に空気吸入口３１０が形成される一対のつる部３００と、前記つる部３００の空気流路上に装着されるＨＥＰＡフィルター４００と、前記つる部３００の空気流路上に装着され、前記空気吸入口３１０を通して吸入された空気を前記つる部３００の空気流路の前方側に移送させる送風ファン５００と、前記つる部３００の空気流路上に装着されて前記送風ファン５００を回転させる駆動モーター５１０と、前記つる部３００の空気流路上に装着され、前記駆動モーター５１０に電力を供給するバッテリー６００と、前記つる部３００の下側に装着され、前記駆動モーター５１０の動作を制御するスイッチ６１０と、前記つる部３００の下側に装着され、前記バッテリー６００に充電電流を供給する充電コネクター６２０とを含んでなる。一般に、メガネのつる部３００は一対が備えられる。前記つる部３００の構成は一対のつる部３００のいずれにも適用されることができる。
【００１９】
前記ネガネフレーム１００と連結部２００とつる部３００はメガネレンズ（図示せず）を使用者の視野上に位置させるための構成要素であり、前記ネガネフレーム１００と連結部２００とつる部３００の連結構造は従来のメガネと実質的に同一であるので、これについての詳細な説明は省略する。しかし、本考案に含まれるネガネフレーム１００と連結部２００とつる部３００は、内部に空気が流動するように、互いに連通する空気流路が内部に形成される。ここで、外部の空気が流入する空気吸入口３１０はつる部３００の後方側に位置し、空気が外部に排出される空気排出部はネガネフレーム１００及び連結部２００の下側に位置する。空気吸入口３１０を通してつる部３００の内側に流入した空気はつる部３００内に備えられたＨＥＰＡフィルター４００を通過しながら濾過された後、ネガネフレーム１００と連結部２００の下側に形成された空気排出口１１０を通して排出されることにより、使用者の鼻と口の周辺に浄化された空気を供給することができるようになる。
【００２０】
一般に、使用者に浄化された空気を供給するマスクは使用者の顔の全面を覆うように着用されるか、少なくとも使用者の鼻と口を覆うように着用される。このように使用者の顔の全面又は一部面を覆うように着用されるマスクは外観が非常に悪くなるだけではなく、使用者が息苦しさを感じるので、使用が不便であるという問題点がある。
【００２１】
しかし、本考案による空気浄化機能を有するメガネは、使用者の顔の全面又は一部面を覆わなくて使用者の鼻や口の周辺に浄化された空気を集中的に供給するので、浄化された空気を使用者が充分に吸いこむことができながらも外観が悪くならないという効果を得ることができるようになる。
【００２２】
一方、外部空気が空気吸入口３１０を通して吸入されて空気排出口１１０を通して排出されるためには、空気の流動を発生させる送風ファン５００が必須に要求される。本考案に含まれる送風ファン５００は非常に小型に製作されてつる部３００の空気流路上に装着されるので、外観を損なわなくなるという利点がある。
【００２３】
また、前記送風ファン５００を駆動させるためには、回転力を発生させる駆動モーター５１０と電源供給のためのバッテリー６００が要求される。本考案に含まれる駆動モーター５１０とバッテリー６００も非常に小型に製作されてつる部３００の空気流路上に装着される。したがって、前記駆動モーター５１０とバッテリー６００によってメガネの外観が悪くなる現象を防止することができるという利点がある。
【００２４】
また、使用者の選択によって送風ファン５００の駆動可否を調節することができるように前記送風ファン５００への電力の供給をオン／オフさせるスイッチ６１０が備えられる。前記スイッチ６１０は、使用者が直接手で操作することができるようにつる部３００の外部に露出されなければならない。この際、前記スイッチ６１０がつる部３００の上側又は側面に露出されれば外部から見るときによく目につくから、外観が不良になる問題を引き起こすので、前記スイッチ６１０は、図２に示したように、つる部３００の下側に露出されることが好ましい。
【００２５】
ここで、前述した駆動モーター５１０、バッテリー６００、スイッチ６１０などがつる部３００の空気流路を塞ぐように装着されれば、浄化された空気がネガネフレーム１００及び連結部２００側に供給できない問題が発生するので、前記駆動モーター５１０、バッテリー６００、スイッチ６１０などはつる部３００の空気流路上に装着されるがつる部３００の空気流路を全く塞がないようにつる部３００の空気流路の横断面積より断面積が小さく製作されなければならない。
【００２６】
一方、ＨＥＰＡフィルター４００を介して浄化された空気が人体、特に目に非常に有益な効果を与えることができるように、つる部３００の空気流路のうち出口側には陰イオン発生部８００をさらに備えることができる。前記陰イオン発生部８００はＨＥＰＡフィルター４００を介して浄化された空気に陰イオンを提供するための構成要素で、陰イオンを発生させることができるものであればどの物質でも適用可能である。
【００２７】
例えば、前記陰イオン発生部は、銀ナノ１０重量％と１０，０００〜１５，０００メッシュトルマリン９０重量％を混合した銀ナノトルマリン９０重量％、又は１０，０００〜１５，０００メッシュの純粋トルマリン９０重量％のいずれか一種を選択し、これに顔料１重量％、硬化剤２重量％、シクロヘキサノン（ｃｙｃｌｏｈｅｘａｎｏｎｅ）２重量％、及びコーティング液５重量％を混合した物質を適用することができる。
【００２８】
このように、つる部３００の空気流路の出口側に陰イオン発生部を備えれば、ネガネフレーム１００及び連結部２００に供給される浄化空気に陰イオンが混合されて使用者に提供される。一般に、陰イオンは、陽電荷を帯びるさまざまな汚染物質、細菌、花粉、かびなどを沈澱させて空気を浄化及び殺菌させる機能、細胞膜の電気的交流を促進させて細胞内への栄養供給を円滑にし、老廃物の排出を助けて細胞を活性化させる機能、酸性化した血液を中性化させて元気な血液状態を維持する機能、免疫成分がグロブリンの量を増加させて各種の抵抗力及び免疫力を増加させる機能、集中力増加、不眠症緩和、食欲増進、疲労回復、痛症緩和などのさまざまな機能を有するものと知られている。したがって、前述したように、使用者の鼻や口に供給される浄化空気に陰イオンが混合されれば、使用者の健康をもっと改善させる効果も得ることができるようになる。
【００２９】
一方、駆動モーター５１０に電力を供給するためのバッテリー６００は外部から供給される充電電流によって充電可能な充電バッテリーが適用されることもでき、充電が不可能な使い捨て用バッテリーが適用されることもできる。
【００３０】
前記バッテリー６００として充電バッテリーが適用される場合、前記つる部３００の内部には外部から供給される充電電流をバッテリー６００に伝達するための別途の充電コネクター６２０が備えられることができる。ここで、前記充電コネクター６２０は外部から易しく見えないように、すなわち外観が美麗になるように、つる部３００の下側に露出されるように装着されることが好ましい。
【００３１】
また、前記バッテリー６００として使い捨て用バッテリーが適用される場合、前記つる部３００は、図３に示したように、バッテリー６００が装着された部位が分離可能な構造になってバッテリー６００の入替えができるように構成されることができる。このように、つる部３００が分離可能な構造に構成されれば、バッテリー６００の寿命が尽きたとき、使用者は前記バッテリー６００を新しいものに入れ替ることができるので、本考案による空気浄化機能を有するメガネを持続的に使うことができるようになるという利点がある。
【００３２】
図４は本考案による空気浄化機能を有するメガネの第２実施例の斜視図、図５は本考案による空気浄化機能を有するメガネの第３実施例の斜視図である。
【００３３】
本考案による空気浄化機能を有するメガネは、図２に示したように、前記つる部３００に装着され、前記バッテリー６００から電力を受けて音響を出力するスピーカー７００をさらに備えることができる。つる部３００にスピーカー７００をさらに備えれば、使用者は別途のイヤホン又はヘッドホンなしにもスマートフォンのような携帯用電子機器から出力される音響をスピーカー７００を介して伝達されることができるという利点がある。
【００３４】
ここで、前記スピーカー７００は、図４に示したように、携帯用電子機器と有線プラグ７１０で連結される有線スピーカー７００が適用されることもでき、図５に示したように、携帯用電子機器とブルートゥース（登録商標）方式で連結される無線スピーカー７００が適用されることもできる。
【００３５】
前記スピーカー７００が携帯用電子機器と有線プラグ７１０で連結される場合、前記有線プラグ７１０の電線は、図４に示したように、自動巻き機能を有することが好ましい。また、前記スピーカー７００が携帯用電子機器とブルートゥース（登録商標）方式で連結できるように構成される場合、使用者は前記スピーカー７００を介して音楽又はラジオ放送を聞くこともでき、通話時に相手の声を聞くこともできる。すなわち、前記スピーカー７００をより多様な用途に活用可能であるという利点がある。
【００３６】
図６は本考案による空気浄化機能を有するメガネの第４実施例の斜視図、図７は本考案による空気浄化機能を有するメガネの第４実施例に含まれるコネクター９１０の結合構造を示す横断面図である。
【００３７】
使用者が運動するなど、より多くの呼吸が必要な場合、前記空気排出口１１０を通して排出される浄化空気の量を増大する必要があり得る。しかし、送風ファン５００及び駆動モーター５１０はつる部３００の空気流路に挿入されることができるように小型に製作されるため、浄化空気の供給量を増やすのに限界があり得る。
【００３８】
したがって、本考案による空気浄化機能を有するメガネは、別途の酸素缶９００から高圧の酸素を受けて使用者に伝達するように構成されることができる。
【００３９】
すなわち、本考案による空気浄化機能を有するメガネは、前記つる部３００の外側面のうち前記空気吸入口３１０が形成された側の反対側を弾性的に掴む一つ以上の把持部９１２を備えて前記つる部３００の前記空気吸入口３１０が形成された部位を覆うように装着されるコネクター９１０をさらに備えることができる。前記コネクター９１０の内部には前記空気吸入口３１０と連通する酸素供給流路９１４が内部に形成され、酸素供給流路９１４の流路入口９１６は連結チューブを介して酸素缶９００と連結されるので、酸素缶９００から提供された酸素はコネクター９１０を通して前記つる部３００の空気流路に伝達されることができるようになる。
【００４０】
このように、つる部３００の空気流路に高圧の酸素が供給されれば、ＨＥＰＡフィルター４００を経て空気排出口１１０を通して供給される空気の量が増加するだけでなく、使用者に供給される空気の酸素含有量が増加するので、使用者は運動する場合のように多くの呼吸が必要な場合にもより楽な呼吸ができるようになる
【００４１】
一方、前記コネクター９１０がメガネのつるの外側面に全く密着することができずに隙間が発生すれば、コネクターに供給された酸素缶９００の酸素がつる部３００の内側に供給されることができずに外部に流出する現象が発生することがある。したがって、前記コネクター９１０は、つる部３００の外側面に安定的に密着することができるように、シリコンなどのように軟性及び弾性が高くて密着性に優れた材料から製作されることが好ましい。
【００４２】
以上、本考案を好適な実施例に基づいて詳細に説明したが、本考案の範囲は特定の実施例に限定されるものではなく、添付の特許請求範囲によって解釈されなければならないであろう。また、この技術分野で通常の知識を習得した者であれば、本考案の範囲から逸脱しない範疇内で多くの修正及び変形が可能であることを理解しなければならないであろう。
【符号の説明】
【００４３】
１００    ネガネフレーム
１１０    空気排出口
２００    連結部
３００    つる部
３１０    空気吸入口
４００    ＨＥＰＡフィルター
５００    送風ファン
５１０    駆動モーター
６００    バッテリー
６１０    スイッチ
６２０    充電コネクター
７００    スピーカー
７１０    有線プラグ
８００    陰イオン発生部
９００    酸素缶
９１０    コネクター
９１２    把持部
９１４    酸素供給流路
９１６    流路入口
【図１】
0003222140.tif 000003
【図２】
0003222140.tif 000004
【図３】
0003222140.tif 000005
【図４】
0003222140.tif 000006
【図５】
0003222140.tif 000007
【図６】
0003222140.tif 000008
【図７】
0003222140.tif 000009